(57)【要約】【課題】ＴＶ受像機において、ＴＶ番組と、このＴＶ番組と同じ内容の他のチャンネルのＴＶ番組の付加情報とを同時に視聴可能にする。【解決手段】ＴＶ受像機は、ＭＰＥＧ−２方式の第１ＴＶ番組や第１付加情報を受信する第１チューナ部と、Ｈ．２６４方式の第２ＴＶ番組や第２付加情報を受信する第２チューナ部と、関連チャンネルを記憶するメモリとを備える。関連チャンネルには、互いに同じ内容のＴＶ番組のチャンネルが記憶される。まず、第１ＴＶ番組の選局指示がされると（Ｓ１１）、ＴＶ受像機は、関連チャンネルから第１ＴＶ番組に関連する、第２ＴＶ番組のチャンネルの有無を判定し（Ｓ１２）、第２チューナ部を用いて関連チャンネルの第２付加情報の有無の判断を行う（Ｓ１４）。この判断の結果、第２付加情報がある場合（Ｓ１５でＹＥＳ）、ＴＶ受像機は、第１ＴＶ番組と、第２付加情報のテレテキスト情報等とをディスプレイに表示する（Ｓ１７）。【選択図】図４
2010283410.tif 000002
【特許請求の範囲】
【請求項１】
第１の符号化方式で符号化されたテレビジョン番組（以下、第１ＴＶ番組という）を受信する第１受信手段と、
第２の符号化方式で符号化されたテレビジョン番組（以下、第２ＴＶ番組という）を受信する第２受信手段と、
ＴＶ番組を表示する表示手段と、
装置各部を制御する制御手段とを備えるテレビジョン受像機において、
前記第２受信手段によって受信される第２ＴＶ番組に付加された、テレテキスト情報とサブタイトル情報との少なくともいずれかを含む付加情報を取得する付加情報取得手段をさらに備え、
前記制御手段は、前記第１受信手段を用いて第１ＴＶ番組を受信するときに、前記第１ＴＶ番組と同じ内容の第２ＴＶ番組を前記第２受信手段を用いて受信可能か否かを判断し、この結果、受信可能である場合、前記付加情報取得手段を用いて、前記第２ＴＶ番組の付加情報を取得し、取得した付加情報と前記第１ＴＶ番組とを前記表示手段に表示することを特徴とするテレビジョン受像機。
【請求項２】
前記第１ＴＶ番組を案内するための第１番組情報を取得する第１番組情報取得手段と、
前記第２ＴＶ番組を案内するための第２番組情報を取得する第２番組情報取得手段とをさらに備え、
前記制御手段は、
前記第１番組情報取得手段を用いて取得した第１番組情報の内容と、前記第２番組情報取得手段を用いて取得した第２番組情報の内容とが一致するか否かを判断することにより、前記第１ＴＶ番組と同じ内容の第２ＴＶ番組を前記第２受信手段を用いて受信可能か否かを判断することを特徴とする請求項１に記載のテレビジョン受像機。
【請求項３】
前記第１の符号化方式と前記第２の符号化方式のいずれか一方がＭＰＥＧ−２方式であり、他方がＨ．２６４方式であることを特徴とする請求項１又は請求項２に記載のテレビジョン受像機。
【請求項４】
前記第１受信手段によって受信される第１ＴＶ番組に付加されたテレテキスト情報とサブタイトルとの少なくともいずれかを含む第２の付加情報を取得する第２の付加情報取得手段をさらに備え、
前記制御手段は、前記第２受信手段を用いて第２ＴＶ番組を受信するときに、前記第２ＴＶ番組と同じ内容の第１ＴＶ番組を前記第１受信手段を用いて受信可能か否かを判断し、この結果、受信可能である場合、前記第２の付加情報取得手段を用いて、前記第１ＴＶ番組の前記第２の付加情報を取得し、取得した該第２の付加情報と前記第２ＴＶ番組とを前記表示手段に表示することを特徴とする請求項１乃至３のいずれか一項に記載のテレビジョン受像機。
【発明の詳細な説明】
【技術分野】
【０００１】
本発明は、異なる２つの符号化方式で符号化されたＴＶ番組を受信可能なテレビジョン受像機に関する。
【背景技術】
【０００２】
近年、欧州の国によっては、デジタルテレビ放送として、符号化方式がＭＰＥＧ−２方式であるＳＤ（Ｓｔａｎｄａｒｄ  Ｄｅｆｉｎｉｔｉｏｎ）画質のＴＶ番組と、符号化方式がＨ．２６４方式であるＨＤ（Ｈｉｇｈ  Ｄｅｆｉｎｉｔｉｏｎ）画質のＴＶ番組とを配信している。Ｈ．２６４方式によるＨＤ放送の開始当初は、ＭＰＥＧ−２方式のＳＤ放送にのみ対応したテレビジョン受像機が残っていることを考慮して、同じ時間帯に同じ内容の番組が、ＭＰＥＧ−２方式のＳＤ放送のチャンネルと、Ｈ．２６４方式のＨＤ放送のチャンネルの両方で配信されることが多いと思われる。しかしながら、ＴＶ番組に対応するサブタイトル情報やテレテキスト情報等の付加情報は、一方の符号方式のＴＶ番組にしか付加されていないことがある。従って、ユーザは、同じ内容のＴＶ番組を視聴しているにも拘わらず、付加情報を視聴できないことがあるため、ユーザにとって使い勝手が悪いという問題がある。
【０００３】
特許文献１には、放送局においてデジタル放送の字幕データをアナログ放送の字幕データ用にフォーマットにしてアナログ放送に重畳して送出する字幕データ変換送出システムが開示されている。しかしながら、特許文献１のシステムでは、テレビジョン受像機で受信した後の、符号化方式と画質の異なる２種類のＴＶ番組間における上記問題を解決できない。
【０００４】
ところで、特許文献２には、アナログ放送に含まれる時刻情報がデジタル放送の時刻情報と異なる場合、デジタル情報の時刻情報に基づく時刻をアナログ放送に重畳して表示するテレビジョン受像機が開示されている。しかしながら、この種のテレビジョン受像機であっても、上記問題を解決できない。
【先行技術文献】
【特許文献】
【０００５】
【特許文献１】特開２００２−４４６１６号公報
【特許文献２】特開２００７−１５８７８８号公報
【発明の概要】
【発明が解決しようとする課題】
【０００６】
本発明は、上述した問題点を解決するためになされたものであり、ＴＶ番組と、このＴＶ番組と同じ内容の他のチャンネルのＴＶ番組の付加情報とを同時に視聴可能であるテレビジョン受像機を提供することを目的とする。
【課題を解決するための手段】
【０００７】
上記目的を達成するために請求項１の発明は、第１の符号化方式で符号化されたテレビジョン番組（以下、第１ＴＶ番組という）を受信する第１受信手段と、第２の符号化方式で符号化されたテレビジョン番組（以下、第２ＴＶ番組という）を受信する第２受信手段と、ＴＶ番組を表示する表示手段と、装置各部を制御する制御手段とを備えるテレビジョン受像機において、前記第２受信手段によって受信される第２ＴＶ番組に付加された、テレテキスト情報とサブタイトル情報との少なくともいずれかを含む付加情報を取得する付加情報取得手段をさらに備え、前記制御手段は、前記第１受信手段を用いて第１ＴＶ番組を受信するときに、前記第１ＴＶ番組と同じ内容の第２ＴＶ番組を前記第２受信手段を用いて受信可能か否かを判断し、この結果、受信可能である場合、前記付加情報取得手段を用いて、前記第２ＴＶ番組の付加情報を取得し、取得した付加情報と前記第１ＴＶ番組とを前記表示手段に表示するものである。
【０００８】
請求項２に記載の発明は、請求項１に記載のテレビジョン受像機において、前記第１ＴＶ番組を案内するための第１番組情報を取得する第１番組情報取得手段と、前記第２ＴＶ番組を案内するための第２番組情報を取得する第２番組情報取得手段とをさらに備え、前記制御手段は、前記第１番組情報取得手段を用いて取得した第１番組情報の内容と、前記第２番組情報取得手段を用いて取得した第２番組情報の内容とが一致するか否かを判断することにより、前記第１ＴＶ番組と同じ内容の第２ＴＶ番組を前記第２受信手段を用いて受信可能か否かを判断するものである。
【０００９】
請求項３に記載の発明は、請求項１又は請求項２に記載のテレビジョン受像機において、前記第１の符号化方式と前記第２の符号化方式のいずれか一方がＭＰＥＧ−２方式であり、他方がＨ．２６４方式であるものである。
【００１０】
請求項４に記載の発明は、請求項１乃至３のいずれか一項に記載のテレビジョン受像機において、前記第１受信手段によって受信される第１ＴＶ番組に付加されたテレテキスト情報とサブタイトルとの少なくともいずれかを含む第２の付加情報を取得する第２の付加情報取得手段をさらに備え、前記制御手段は、前記第２受信手段を用いて第２ＴＶ番組を受信するときに、前記第２ＴＶ番組と同じ内容の第１ＴＶ番組を前記第１受信手段を用いて受信可能か否かを判断し、この結果、受信可能である場合、前記第２の付加情報取得手段を用いて、前記第１ＴＶ番組の前記第２の付加情報を取得し、取得した該第２の付加情報と前記第２ＴＶ番組とを前記表示手段に表示するものである。
【発明の効果】
【００１１】
請求項１の発明によれば、第１ＴＶ番組を受信するときに、第１ＴＶ番組と同じ内容の第２ＴＶ番組を受信可能である場合、第２ＴＶ番組の付加情報を取得し、取得した付加情報と第１ＴＶ番組とを表示手段に表示する。そのため、ユーザが第１ＴＶ番組を視聴中に、第２ＴＶ番組の付加情報を同時に視聴することができるため、とって使い勝手が良い。
【００１２】
請求項２の発明によれば、第１番組情報の内容と、第２番組情報の内容とが一致するか否かを判断することにより、第１ＴＶ番組と同じ内容の第２ＴＶ番組を受信可能か否かを判断する。そのため、第１ＴＶ番組と同じ内容の第２ＴＶ番組を受信できるか否かの判断を精度良く行うことができる。
【００１３】
請求項４の発明によれば、第２ＴＶ番組を受信するときに、第２ＴＶ番組と同じ内容の第１ＴＶ番組を受信可能である場合、取得した第２の付加情報と第２ＴＶ番組とを表示手段に表示する。そのため、ユーザが第２ＴＶ番組を視聴中に、第１ＴＶ番組の付加情報を同時に視聴することができるため、使い勝手が良い。
【図面の簡単な説明】
【００１４】
【図１】本発明の一実施形態にＴＶ受像機の斜視図。
【図２】上記ＴＶ受像機の概略構成を示すブロック図。
【図３】上記ＴＶ受像機における関連チャンネルの記憶処理の手順を示すフローチャート。
【図４】上記ＴＶ受像機におけるＴＶ番組の映像表示処理の手順を示すフローチャート。
【図５】（ａ）〜（ｃ）は、上記ＴＶ受像機に表示される映像表示を説明する説明図。
【発明を実施するための最良の形態】
【００１５】
本発明の一実施形態に係るテレビジョン（以下、ＴＶ）受像機について、図１、及び図２を参照して説明する。図１は、リモコン装置２により操作されるＴＶ受像機１の外観を示し、図２は、ＴＶ受像機１の内部構成を示す。ＴＶ受像機１は、ＭＰＥＧ−２方式又はＨ．２６４方式を用いて符号化されたＴＶ番組を受信可能な機器である。リモコン装置２は、ユーザにより操作され、ＴＶ受像機１に対して所定の操作指示を行うためのものである。
【００１６】
ＴＶ受像機１は、ＴＶ番組の映像を表示するディスプレイ（表示手段）１１と、ＴＶ番組の音声を出力するスピーカ１２と、放送局から配信されるデジタル放送信号を受信する第１チューナ部（第１受信手段）１３及び第２チューナ部（第２受信手段）１４とを備える。また、ＴＶ受像機１は、リモコン装置２から送信される操作信号を受信するリモコン信号受信部１５と、各種情報を記憶するためのメモリ１６と、装置各部を制御するための制御用マイコン（制御手段）１７とをさらに備える。
【００１７】
リモコン装置２は、複数のボタン２１と、ＴＶ受像機１に対してユーザによる操作に応じた操作信号を送信するための信号送信部２２とを有する。ユーザはリモコン装置２のボタン２１を操作することにより、チャンネルサーチの実行指示や、受信チャンネルの選局指示や、ＴＶ番組の受信に用いるチューナ部１３、１４の選択指示等を行うことができる。
【００１８】
第１チューナ部１３は、ＭＰＥＧ−２方式で符号化されたＳＤ画質のＴＶ番組のデジタル放送信号を復号化する第１デコーダ（第２の付加情報取得手段）１３ａを有し、ＭＰＥＧ−２方式で符号化されたＳＤ画質のＴＶ番組（以下、第１ＴＶ番組という）に加えて、ＥＩＴ（Ｅｖｅｎｔ Ｉｎｆｏｒｍａｔｉｏｎ Ｔａｂｌｅ）情報（以下、第１ＥＩＴ情報という）と、テレテキスト情報及びサブタイトル情報を含む付加情報（以下、第１付加情報という；請求項における「第２の付加情報」に相当）とを受信する。第１チューナ部１３は、ユーザによって指示された所望のチャンネルの第１ＴＶ番組、及び第１付加情報を受信可能である。第１デコーダ１３ａによってデコードされた第１ＴＶ番組の映像信号及び音声信号と、第１ＥＩＴ情報の信号と、第１付加情報の信号は、制御用マイコン１７に出力される。
【００１９】
第２チューナ部１４は、Ｈ．２６４方式の放送信号を復号化する第２デコーダ（付加情報取得手段）１４ａを有し、Ｈ．２６４方式で符号化されたＨＤ画質のＴＶ番組（以下、第２ＴＶ番組という）に加えて、ＥＩＴ情報（以下、第２ＥＩＴ情報という）と、テレテキスト情報及びサブタイトル情報を含む付加情報（以下、第２付加情報という；請求項における「付加情報」に相当）とを受信する。第２チューナ部１４は、ユーザによって指示された所望のチャンネルの第２ＴＶ番組、及び第２付加情報を受信可能である。第２デコーダ１４ａによってデコードされた第２ＴＶ番組の映像信号及び音声信号と、第２ＥＩＴ情報の信号と、第２付加情報の信号は、制御用マイコン１７に出力される。
【００２０】
メモリ１６は、制御用マイコン１７を動作させるためのプログラム１６ａと、関連チャンネル１６ｂとを記憶する。関連チャンネル１６ｂには、互いに同じ内容のＴＶ番組のチャンネルを、関連するチャンネルとして記憶する。具体的には例えば、第１ＴＶ番組と同じ内容の第２ＴＶ番組を受信可能である場合、第１ＴＶ番組のチャンネルの情報と、この第１ＴＶ番組に対応する第２ＴＶ番組のチャンネルの情報とが記憶される。
【００２１】
制御用マイコン１７は、映像出力部１７ａと、音声出力部１７ｂと、ＥＩＴ情報取得部１７ｃと、同一番組判断部１７ｄと、映像合成部１７ｅとを有する。
【００２２】
映像出力部１７ａは、第１チューナ部１３又は第２チューナ部１４のいずれかによって受信されたＴＶ番組の映像や、映像合成部１７ｅにより合成された映像をディスプレイ１１に出力する。音声出力部１７ｂは、第１チューナ部１３又は第２チューナ部１４のいずれかによって受信されたＴＶ番組の音声をスピーカ１２に出力する。
【００２３】
ＥＩＴ情報取得部１７ｃは、第１チューナ部１３及び第２チューナ部１４によって受信された第１ＥＩＴ情報及び第２ＥＩＴ情報を取得する。第１ＥＩＴ情報及び第２ＥＩＴ情報には、それぞれＴＶ番組のタイトル、開始時間、及び終了時間等の情報が含まれている。
【００２４】
同一番組判断部１７ｄは、第１チューナ部１３又は第２チューナ部１４のいずれか一方を用いて受信するＴＶ番組と同じ内容のＴＶ番組を、他方のチューナ部１３、１４を用いて受信可能か否かを判断する。具体的には例えば、第１ＥＩＴ情報及び第２ＥＩＴ情報に基づいて、第１チューナ部１３を用いて受信したＴＶ番組と、第２チューナ部１４を用いて受信したＴＶ番組との間に、タイトル、開始時間、及び終了時間が全て一致するＴＶ番組があるか否かを判断し、全て一致するＴＶ番組がある場合、それらを同じ内容のＴＶ番組であると判断する。なお、同じ内容のＴＶ番組の判断基準はこれに限られず、第１ＥＩＴ情報及び第２ＥＩＴ情報に記載される他の情報を用いて判断を行ってもよい。
【００２５】
映像合成部１７ｅは、第１ＴＶ番組又は第２ＴＶ番組の映像と、第１付加情報や第２付加情報内のテレテキスト情報やサブタイトル情報等の表示映像とを合成し、合成した映像信号を映像出力部１７ａに送出するものである。
【００２６】
次に、関連チャンネル１６ｂの記憶処理について、図３に示すフローチャートを参照して説明する。まず、ユーザがリモコン装置２の所定のボタン２１を操作することにより、チャンネルサーチの実行を指示すると（Ｓ１）、制御用マイコン１７は、第１チューナ部１３を用いて第１ＥＩＴ情報を受信（Ｓ２）すると共に、第２チューナ部１４を用いて第２ＥＩＴ情報を受信する（Ｓ３）。
【００２７】
そして、制御用マイコン１７は、同一番組判断部１７ｄを用いて、第１ＥＩＴ情報及び第２ＥＩＴ情報に基づき、同一内容のＴＶ番組を受信可能か判断する（Ｓ４）。そして、制御用マイコン１７は、上記Ｓ４の判断の結果、同じ内容のＴＶ番組であると判断された第１ＴＶ番組のチャンネルと、第２ＴＶ番組のチャンネルとを関連するチャンネルとして関連チャンネル１６ｂに記憶し（Ｓ５）、処理を終了する。
【００２８】
次に、ＴＶ番組の映像表示処理について、図４に示すフローチャートを参照して説明する。ここでは、第１チューナ部１３によって受信されるＡチャンネルの第１ＴＶ番組をディスプレイ１１に表示させる場合について説明する。
【００２９】
まず、ユーザによってリモコン装置２の所定のボタン２１が操作されることによってＡチャンネルの第１ＴＶ番組を表示するように選局指示がされると（Ｓ１１）、制御用マイコン１７は、関連チャンネル１６ｂ内の情報に基づいて、Ａチャンネルの第１ＴＶ番組に関連する第２ＴＶ番組のチャンネルの有無を判定する（Ｓ１２）。この判定の結果、Ａチャンネルの第１ＴＶ番組に対応する第２ＴＶ番組の関連チャンネルが無い場合（Ｓ１３でＮＯ）、制御用マイコン１７は、映像出力部１７ａを用いてＡチャンネルの第１ＴＶ番組の映像をディスプレイ１１に表示する（Ｓ２１）。
【００３０】
一方、上記Ｓ１２の判定の結果、関連チャンネルがある場合（Ｓ１３でＹＥＳ）、制御用マイコン１７は、第２チューナ部１４を用いてＡチャンネルの関連チャンネルであるＢチャンネルの第２ＴＶ番組に第２付加情報が有るか否かの判断を行う（Ｓ１４）。具体的には、第２チューナ部１４を用いて、Ｂチャンネルのストリームデータ中にサブタイトルストリームやテレテキストストリームが存在するか否かを判断する。
【００３１】
上記Ｓ１４の判断の結果、Ｂチャンネルの第２ＴＶ番組に第２付加情報があると判断された場合（Ｓ１５でＹＥＳ）、制御用マイコン１７は、映像合成部１７ｅを用いて、Ａチャンネルの第１ＴＶ番組の映像と、Ｂチャンネルの第２ＴＶ番組の第２付加情報であるサブタイトル情報やテレテキスト情報の表示映像とを合成し（Ｓ１６）、合成した映像を、映像出力部１７ａを用いてディスプレイ１１に表示する（Ｓ１７）。
【００３２】
一方、Ｂチャンネルの第２ＴＶ番組に付加情報が無い場合（Ｓ１５でＮＯ）、上記Ｓ２１と同様の処理を行う。なお、上記の例では、第１チューナ部１３によって受信される第１ＴＶ番組の映像と、このＴＶ番組と同じ内容の第２ＴＶ番組の第２付加情報とを合成して表示させる処理を示したが、これに限られず、第２チューナ部１４によって受信される第２ＴＶ番組の映像と、このＴＶ番組と同じ内容の第１ＴＶ番組の第１付加情報とを合成して表示させてもよい。
【００３３】
次に、ディスプレイ１１に表示されるＴＶ番組の映像と付加情報の表示映像との合成映像について、図５に示す説明図を参照して説明する。図５（ａ）は、Ａチャンネル（「ＣＨ  Ａ」）の放送信号に含まれているストリームデータの種類を示す。チャンネルＡのＴＶ番組の放送信号に含まれているストリームデータは、「Ｈ．２６４方式のＶｉｄｅｏ」と、「ＡＣ−３方式のＡｕｄｉｏ」と、「ＨＥ−ＡＡＣ方式のＡｕｄｉｏ」とを含み、付加情報としてサブタイトル情報やテレテキスト情報は含まないものである。図５（ｂ）は、Ｂチャンネル（「ＣＨ  Ｂ」）の放送信号に含まれているストリームデータの種類を示す。チャンネルＢのＴＶ番組の放送信号に含まれているストリームデータは、「ＭＰＥＧ方式のＶｉｄｅｏ」と、「ＭＰＥＧ方式のＡｕｄｉｏ」と、「ｓｕｂｔｉｔｌｅ（サブタイトル）」と、「Ｔｅｌｅｔｅｘｔ（テレテキスト）」とを含む。
【００３４】
図５（ｃ）は、チャンネルＡのＴＶ番組の映像と、チャンネルＢのテレテキスト情報とサブタイトル情報の表示映像とを合成した映像をディスプレイ１１に表示する場合のイメージ図である。図に示すように、ディスプレイ１１には、チャンネルＡのＴＶ番組の映像が表示され、さらにテレテキスト情報やサブタイトル情報等の付加情報Ｆが表示される。なお、付加情報の表示の有無はユーザがリモコン装置２のボタン２１を操作することにより、任意に選択可能であってもよい。
【００３５】
上述したように、本実施形態に係るＴＶ受像機１においては、第１ＴＶ番組を受信するときに、第１ＴＶ番組と同じ内容の第２ＴＶ番組を受信可能である場合、第２ＴＶ番組の付加情報を取得し、取得した付加情報の表示映像と第１ＴＶ番組の映像とを合成してディスプレイ１１に表示することができる。そのため、ユーザが第１ＴＶ番組を視聴中に、第２ＴＶ番組の付加情報を同時に視聴することができるため、使い勝手が良い。
【００３６】
また、第１ＥＩＴ情報及び第２ＥＩＴ情報の内容に基づいて、ＴＶ番組のタイトル、開始時間、及び終了時間が全て一致するか否かを判断することにより、第１ＴＶ番組と同じ内容の第２ＴＶ番組を受信可能か否かを判断する。そのため、第１ＴＶ番組と同じ内容の第２ＴＶ番組を受信できるか否かの判断を精度良く行うことができる。
【００３７】
また、第２ＴＶ番組を受信するときに、第２ＴＶ番組と同じ内容の第１ＴＶ番組を受信可能である場合、取得した第１付加情報の表示映像と第２ＴＶ番組の映像とを合成してディスプレイ１１に表示することができる。そのため、ユーザが、第２ＴＶ番組を視聴中に、第１ＴＶ番組の付加情報を同時に視聴することができるため、使い勝手が良い。
【００３８】
なお、本発明は、上記実施形態の構成に限られず、発明の趣旨を変更しない範囲で種々の変形が可能である。例えば、ＴＶ受像機１が受信可能なテレビジョン放送信号の符号化方式はＭＰＥＧ−２方式及びＨ．２６４方式に限られず、任意の符号化方式であってよい。
【符号の説明】
【００３９】
１  ＴＶ受像機（テレビジョン受像機）
１１  ディスプレイ（表示手段）
１３  第１チューナ部（第１受信手段）
１４  第２チューナ部（第２受信手段）
１７  制御用マイコン（制御手段）
１３ａ  第１デコーダ（第２の付加情報取得手段）
１４ａ  第２デコーダ（付加情報取得手段）
【図１】
2010283410.tif 000003
【図２】
2010283410.tif 000004
【図３】
2010283410.tif 000005
【図４】
2010283410.tif 000006
【図５】
2010283410.tif 000007